【事件の表示】
　平成６年特許願第１２０１１８号「磁気カードリーダライタ」拒絶査定に対する審判事件［平成７年１２月１２日出願公開、特開平７−３２６１２３］について、次のとおり審決する。
【結　論】
　本件審判の請求は、成り立たない。
【理　由】
［１］　本願発明　
　本願は、平成６年６月１日の出願であって、その請求項に係る発明は、平成１０年１月６日付け及び平成１２年６月２２日付けの手続補正書によって補正された明細書及び図面の記載からみて、特許請求の範囲の請求項１〜５に記載されたとおりと認められるところ、その請求項１に記載された発明（以下、「本願発明１」という。）は次のとおりである。　
「【請求項１】　本体ユニットと、前記本体ユニット内に設けられ、挿入された磁気カードを搬送する送りローラと、磁気カードの搬送路の両側部に設けられ、挿入された磁気カードの幅方向の位置規制を行ってその搬送を案内するガイド部と、挿入された磁気カードに対して磁気情報を入出力する磁気ヘッドと、挿入された磁気カードに対して任意の文字・図等のパターンを印字する印字ヘッドとを備え、前記本体ユニットを一対のユニットに分割し、前記一対のユニットを開閉自在に結合するとともに、前記一対のユニットの内、一方のユニットに前記磁気ヘッドを設け、他方のユニットに前記印字ヘッドを設けたことを特徴とする磁気カードリーダライタ。」　
　
［２］　引用例に記載された事項　
　一方、当審の拒絶理由通知で引用した、特開平５−３５９２７号公報（以下、「引用例１」という。）には、図面とともに、
「【請求項１】　本体の一端側に形成されてカード類が出し入れされる出入口と、該出入口と前記本体の他端側とを結ぶ搬送ラインに沿って前記カード類を往復移動させる搬送手段と、該搬送ラインの途中に配置されて前記カード類に対する情報の読取りを行なう読取手段とを備え、前記本体は、前記搬送ラインを挾んで分割自在となっていることを特徴とするカード類処理装置。」（【特許請求の範囲】）
「【０００８】
　　【発明が解決しようとする課題】
　カード類処理装置２３は有料自動車道路のゲートで使用されるため、磁気ヘッドや搬送ローラが排気ガス等によって汚されやすいものであった。このため、クリーニングカード等によって清掃を行なっているが、十分に汚れを落とすことはできなかった。また、カード類が詰まった場合等のトラブル発生時には、カード類処理装置２３を分解してカード類を取り除く等の作業が必要であった。」
「【００１３】
　このカード類処理装置２００には、出入口２０４から本体としての筐体２０１の後端にかけて一直線状に搬送ラインＦＬが形成されている。筐体２０１内にはこの搬送ラインＦＬに沿って出入口２０４から順にカードの種類を検出するカード種別センサ２０６と、ハイウェイカード等の印字可能なカードに対して必要な情報を記録するための感熱印字ヘッド２０７と、クレジットカード等のカードに形成された図示しない磁気記録部の磁気情報を読み取る読取手段としての再生ヘッド２０８と、この磁気記録部に新たな磁気情報を書き込む記録ヘッド２０９と、ＩＣカード等のカードに記録された情報を読み取る読み取り電極２１０とが設けられている。
　【００１４】
　前記搬送ラインＦＬに沿ってカードを往復動させる搬送手段としての複数個の駆動ローラ２１１〜２１８は、カードの長さよりも短い間隔で筐体２０１に対し回転自在に取り付けられている。なお、前記感熱印字ヘッド２０７には押さえローラ２１９が当接し、再生ヘッド２０８及び記録ヘッド２０９には、搬送ラインＦＬを挾んでそれぞれ駆動ローラ２１６，２１７が対向する一方、前記読み取り電極２１０には搬送ラインＦＬを挾んでこれと対向する押さえ具２２０が配置されている。又、出入口２０４と感熱印字ヘッド２０７との間に位置する駆動ローラ２１１，２１２及び第１図中、駆動ローラ２１６，２１７の両側に位置する駆動ローラ２１５，２１８には、搬送ラインＦＬを挾んでそれぞれ筐体２０１に対して回転自在に取り付けられたピンチローラ２２１が当接している。」
「【００１７】
　筐体２０１は搬送ラインＦＬを挾んで上部２０１ａと下部２０１ｂに分割され、上部２０１ａと下部２０１ｂは筐体２０１の後端部でヒンジ１０３を介して連結されている。図２に示すように、筐体２０１はヒンジ１０３を中心に搬送ラインＦＬを境に開閉自在となっている。」との記載があり、
　図１及び図２には、再生ヘッド２０８と記録ヘッド２０９を上部２０１ａに設け、感熱印字ヘッド２０７を下部２０１ｂに設けた筐体２０１が記載されている。
　
　これらの記載から、引用例１には、「筐体と、前記筐体に設けられ、挿入されたカードを往復動させる駆動ローラと駆動ローラに当接するピンチローラと、挿入されたカードに対して磁気情報を読み取る再生ヘッドと磁気情報を書き込む記録ヘッドと、挿入されたカードに対して必要な情報を記録する感熱印字ヘッドとを備え、前記筐体を搬送ラインを挟んで上部と下部に分割し、ヒンジを中心に開閉自在とし、筐体の上部に前記再生ヘッドと記録ヘッドを設け、筐体の下部に感熱印字ヘッドを設けたカード類処理装置。」の発明（以下、「引用例１の発明」という。）が記載されていると認められる。
　
　
　同じく拒絶理由に引用された実願平１−２３８４９号（実開平２−１１５３３９号）のマイクロフィルム（以下、「引用例２」という。）には、図面とともに、
「一方の側板５ａには、後述の搬送路Ｄを形成すべく磁気カードＫの一方の側部を挟持するカード規制板６が設けられている（第３図参照）。このカード規制板６は、バネ６ａにより磁気カードＫを反対側に設けられた後述のカード押圧レバー２２方向に付勢する。」（第５頁第１９行〜第６頁第４行）
「磁気カードＫは、一方の辺が駆動ユニット２側のカード規制板６に挟持され、他方の辺がヘッドユニット３のカード押圧レバー２２に挟持されているため、この開放時には、詰まった磁気カードＫを自動的に除去できることになる。」（第１５頁第１９行〜第１６頁第３行）と記載されている。
　
［３］　本願発明１と引用例１の発明との対比
　引用例１の発明の「カード」は、磁気記録部を有しており、本願発明１の「磁気カード」に相当する。
　本願発明１と引用例１の発明を対比すると、引用例１の発明のカード類処理装置は、本願発明１の磁気カードリーダライタであり、
　引用例１の発明の「筐体」「筐体の上部と筐体の下部」「カードを往復動させる駆動ローラと駆動ローラに当接するピンチローラ」「磁気情報を読み取る再生ヘッドと磁気情報を書き込む記録ヘッド」「感熱印字ヘッド」は、
　本願発明１の「本体ユニット」「一対のユニット」「磁気カードを搬送する送りローラ」「磁気情報を入出力する磁気ヘッド」「任意の文字・図等のパターンを印字する印字ヘッド」に相当し、
　両者は、内部のメンテナンスを容易にする課題で共通しており、
「本体ユニットと、前記本体ユニット内に設けられ、挿入された磁気カードを搬送する送りローラと、挿入された磁気カードに対して磁気情報を入出力する磁気ヘッドと、挿入された磁気カードに対して任意の文字・図等のパターンを印字する印字ヘッドとを備え、前記本体ユニットを一対のユニットに分割し、前記一対のユニットを開閉自在に結合するとともに、前記一対のユニットの内、一方のユニットに前記磁気ヘッドを設け、他方のユニットに前記印字ヘッドを設けたことを特徴とする磁気カードリーダライタ。」の点で一致し、以下の点で相違する。
　
　本願発明１が「磁気カードの搬送路の両側部に設けられ、挿入された磁気カードの幅方向の位置規制を行ってその搬送を案内するガイド部」を有するのに対して、引用例１の発明にはカードの幅方向の位置規制をするガイド部に関して記載されていない点。
　
［４］当審の判断　
　カードの幅方向を位置規制するガイド部材として機能するカード押圧レバー方向にに付勢するカード規制板（磁気カードが詰まった時には、カードを挟持しているカード規制板がカードの除去を容易にする。）を有するカードリーダが、引用例２に記載されており、またカードの幅方向を位置規制するガイドは周知（実願昭５７−１２９４６１号（実開昭５９−３３１６７号）のマイクロフィルム、実願昭６１−１３５３４５号（実開昭６３−４０８６１号）のマクロフィルム、実願昭６３−１６３８６８号（実開平２−８３８３９号）のマクロフィルム、特開平５−２９８６４２号公報等参照）であり、引用例１の発明において、カードが搬送路から外れないように、搬送路の両側部に、カードの幅方向の位置規制を行うガイド部を設けることは、当業者が容易に推考できることと認められる。
　
［５］むすび　
　したがって、本願発明は、引用例１，２及び周知例に記載された発明に基づいて当業者が容易に発明をすることができたものであるので、特許法第２９条第２項の規定により特許を受けることができない。　
　よって、結論のとおり審決する。